(57)【要約】【課題】操作画面を一々戻さなくてもワンタッチで初期の操作画面に戻すこと。【解決手段】決済業務用の操作画面のうち初期の決済業務用の操作画面に戻すための戻りボタン１３を備えた。【選択図】図１
2010277255.tif 000002
【特許請求の範囲】
【請求項１】
決済業務を行うための操作をタッチパネルを介して行う決済端末装置において、
前記決済業務により変更した決済業務用の操作画面のうち初期の前記決済業務用の操作画面に戻すための戻り操作部、
を具備することを特徴とする決済端末装置。
【請求項２】
前記戻り操作部は、前記タッチパネルが設けられた平面と同一平面上に設けられたことを特徴とする請求項１記載の決済端末装置。
【請求項３】
決済業務を行うための少なくともキーボード及び操作ボタンを表示画面上に表示する表示部と、前記表示画面上に設けられたタッチパネルと、前記キーボード及び前記操作ボタンの表示位置に対応する前記タッチパネルへの操作に応じて前記表示画面上に表示する決済業務用の操作画面を変更する決済処理手段とを有する決済端末装置において、
前記決済処理手段により変更した前記決済業務用の操作画面のうち初期の前記決済業務用の操作画面に戻すための戻り操作部と、
を具備することを特徴とする決済端末装置。
【発明の詳細な説明】
【技術分野】
【０００１】
本発明は、キーボード及び操作ボタンに対する操作に応じて決済用の操作画面を変更して決済を行う決済機能を有する決済端末装置に関する。
【背景技術】
【０００２】
決済機能を有する決済端末装置がある。この決済端末装置は、表示画面上にタッチパネルを設け、かつ表示画面上に決済を行うためのキーボード及び操作ボタンを表示し、これらキーボード及び操作ボタンの表示位置に対応するタッチパネルへの操作に応じて表示画面上に表示する決済用の操作画面を順次変更する。これにより、キーボード及び操作ボタンに対する操作の度にタッチパネルに対する操作が発生する。そして、連続した操作の業務が行われると、表示画面上に表示される決済用の操作画面がインクリメントされる。例えば、特許文献１は、商品入力手段の画面が初期画面、第１〜３の画面で構成され、各画面のタッチで順次画面が切替り、注文、注文数、注文取消、注文確認等の所作をし、初期画面に戻ることを開示しています。
【発明の概要】
【発明が解決しようとする課題】
【０００３】
しかしながら、上記決済用の操作画面の表示では、連続した操作の業務が行われると、表示画面上に表示される決済用の操作画面がインクリメントされるため、初期の操作画面に戻すためには、何度も表示画面上をタッチ操作して決済用の操作画面を１つ１つ順次戻して初期の操作画面に戻さなければならず、操作の手数が多くなる。又、表示画面のサイズが小さいと、初期の操作画面に戻すためのタッチ操作で誤操作するおそれもあり、操作が煩わしくなる。
【０００４】
本発明の目的は、操作画面を一々戻さなくてもワンタッチで初期の操作画面に戻すことができる決済端末装置を提供することにある。
【課題を解決するための手段】
【０００５】
本発明の主要な局面に係る決済端末装置は、決済業務を行うための操作をタッチパネルを介して行う決済端末装置において、決済業務により変更した決済業務用の操作画面のうち初期の決済業務用の操作画面に戻すための戻り操作部を具備する。
【０００６】
本発明の他の主要な局面に係る決済端末装置は、決済業務を行うための少なくともキーボード及び操作ボタンを表示画面上に表示する表示部と、表示画面上に設けられたタッチパネルと、キーボード及び操作ボタンの表示位置に対応するタッチパネルへの操作に応じて表示画面上に表示する決済業務用の操作画面を変更する決済処理手段とを有する決済端末装置において、タッチパネルの外部に設けられ、決済処理手段により変更した決済業務用の操作画面のうち初期の決済業務用の操作画面に戻すための戻り操作部とを具備する。
【発明の効果】
【０００７】
本発明によれば、操作画面を一々戻さなくてもワンタッチで初期の操作画面に戻すことができる決済端末装置を提供できる。
【図面の簡単な説明】
【０００８】
【図１】本発明に係る決済端末装置の一実施の形態を示す外観構成図。
【図２】同装置における表示部の表示画面上に表示される決済業務を行うための複数のキーボード及び操作ボタンを示す図。
【図３】同装置のブロック構成図。
【図４】同装置における主制御部を示すブロック構成図。
【図５】同装置における決済処理部によるキーボード及び操作ボタンに対する操作に応じた操作画面の変更を示す図。
【図６】同装置における操作フローチャート。
【発明を実施するための形態】
【０００９】
以下、本発明の一実施の形態について図面を参照して説明する。  
図１は決済端末装置の外観構成図を示す。この決済端末装置１は、決済業務を行うための操作を行うもので、本体２に表示部３と、タッチパネル４と、磁気カードリーダ５と、プリンタ６と、本装置１の電源のオン・オフを行う電源スイッチ７とを備える。表示部３は、例えば液晶表示ディスプレイ（ＬＣＤ）から成る。この表示部３の表示画面上には、図２に示すように決済業務を行うための複数のキーボード及び操作ボタン１０が表示される。これらキーボード及び操作ボタン１０は、決済業務を行うための決済業務用の各操作画面毎に表示される。
【００１０】
タッチパネル４は、表示部３の表示画面上に面接触して設けられる。このタッチパネル４は、タッチ部位の位置座標に対応するタッチ位置信号を出力する。しかるに、表示部３の表示画面上には、複数のキーボード及び操作ボタン１０等が表示されるので、タッチパネル４は、キーボード及び操作ボタン１０の表示位置に対応するタッチパネル４上のタッチ部位の位置座標に対応するタッチ位置信号を出力する。
【００１１】
磁気カードリーダ５は、磁気カードに記憶されるデータを読み取る。  
プリンタ６は、例えば決済業務の結果を印字用紙にプリントアウトする。  
表示部３は、枠組み体１１により保持されている。この枠組み体１１は、表示部３の周囲を囲む四辺状の枠に形成されている。この枠組み体１１は、表示部３を組み込むと、この表示部３の表示画面の平面の高さ位置と同一高さ位置となる平面１２が形成されている。なお、表示部３の表示画面上には、タッチパネル４が設けられているので、枠組み体１１の平面１２は、タッチパネル４の平面の高さ位置と同一高さ位置となる。
【００１２】
この枠組み体１１の平面１２上には、戻りボタン１３が設けられている。すなわち、この戻りボタン１３は、タッチパネル４の外部に設けられている。この戻りボタン１３は、表示部３の表示画面に表示される決済業務により変更した決済業務用の操作画面のうち初期の決済業務用の操作画面に戻すためのボタンである。この戻りボタン１３は、当該装置１を正面側Ａに向かって操作者が表示部３の表示画面上に表示されるキーボード及び操作ボタン１０を操作して決済業務を行う状態に、枠組み体１１における操作者の存在する側で、かつ右側に設置される。
【００１３】
決済端末装置１には、カード処理装置２０が伝送ケーブル２１を介して接続されている。このカード処理装置２０は、本体２１に、キーボード２２、表示部２３及びカードリーダ２４を備える。カードリーダ２４は、カードスロット２５を設けている。このカードスロット２５は、接触式ＩＣカードであるクレジットカード２６を内部に挿入可能である。このカード処理装置２０は、クレジットカード２６に対する決済の処理を行う。
【００１４】
図３は決済端末装置１のブロック構成図を示す。この決済端末装置１は、ＣＰＵ（Central Processing Unit）を搭載する主制御部３０を備える。この主制御部３０には、表示部３と、タッチパネル４と、磁気カードリーダ５と、プリンタ６と、戻りボタン１３とが接続されると共に、プログラム記憶部３１と、操作画面記録部３２と、初期画面記憶部３３と、通信部３４とが接続されている。
【００１５】
プログラム記憶部３１には、決済業務を行うための決済業務プログラムと、決済業務により変更した決済業務用の操作画面のうち初期の決済業務用の操作画面に戻すための戻り操作プログラムとが記憶されている。  
操作画面記録部３２には、決済業務を行うための複数の操作画面が記憶されている。これら操作画面は、それぞれ例えば注文する商品、商品の注文数、商品の単価及び請求金額、合計商品の注文取消、商品の注文確認等を行うための画面である。  
初期画面記憶部３３は、決済業務を行うときの初期に、表示部３の表示画面上に表示された決済業務用の操作画面を記憶する。なお、初期画面記憶部３３は、初期の決済業務用の操作画面のデータそのものを記憶するに限らず、複数の決済業務用の操作画面を示す各符号を予め設定し、初期の決済業務用の操作画面となった符号を記憶してもよい。  
通信部３４は、カード処理装置２０と主制御部３０との間で伝送ケーブル２１を通じて行われるデータ通信を行う。
【００１６】
図４は主制御部３０のブロック構成図を示す。この主制御部３０は、表示部３と、タッチパネル４と、磁気カードリーダ５と、プリンタ６と、戻りボタン１３と、プログラム記憶部３１と、操作画面記録部３２と、初期画面記憶部３３と、通信部３４とに対する制御動作を行うもので、決済処理部４０と、戻り操作部４１とを有する。  
決済処理部４０は、表示部３に表示されているキーボード及び操作ボタン１０の表示位置に対応するタッチパネル４への操作に応じて表示画面上に表示する決済業務用の操作画面を変更する。具体的に、決済処理部４０は、キーボード及び操作ボタン１０の表示位置に対応するタッチパネル４への操作に応じて操作画面を順次変更する。例えば図５に示すように決済処理部４０は、先ず、第１の操作画面Ｈ１を表示部３に表示する。この第１の操作画面Ｈ１は、初期の操作画面となる。次に、決済処理部４０は、第１の操作画面Ｈ２を表示部３に表示し、さらにキーボード及び操作ボタン１０の表示位置に対応するタッチパネル４への操作に応じて第ｎの操作画面Ｈｎを表示部３に表示、又は第ｍの操作画面Ｈｍを表示部３に表示する。なお、第１乃至第ｍの操作画面Ｈ１〜Ｈｍは、決済業務を行うための複数の操作画面として上記操作画面記録部３２に記憶されている。
【００１７】
戻り操作部４１は、例えば図５に示すように決済処理部４０により変更した決済業務用の操作画面Ｈ１〜Ｈｍのうち初期の決済業務用の操作画面Ｈ１に戻す。
【００１８】
次に、上記の如く構成された装置における初期の操作画面への戻し動作について図６に示す戻り操作フローチャートに従って説明する。  
決済処理部４０は、ステップＳ１において、決済が開始されたか否かを判断する。この判断の結果、決済が開始されると、決済処理部４０は、ステップＳ２において、決済処理を行い、例えば図５に示すように、先ず、第１の操作画面Ｈ１を表示部３に表示し、キーボード及び操作ボタン１０の表示位置に対応するタッチパネル４への操作に応じて第１の操作画面Ｈ２を表示部３に表示し、さらに第ｎの操作画面Ｈｎを表示部３に表示、又は第ｍの操作画面Ｈｍを表示部３に表示する。
【００１９】
一方、主制御部３０は、ステップＳ３において、初期画面記憶部３３に初期の操作画面が記憶されているか否かを判断する。この判断の結果、初期の操作画面が記憶されていなければ、主制御部３０は、ステップＳ４において、最初に表示部３に表示された第１の操作画面Ｈ１が初期の操作画面となるので、当該第１の操作画面Ｈ１を初期の操作画面として初期画面記憶部３３に記憶する。この場合、初期画面記憶部３３には、初期の決済業務用の操作画面のデータそのものを記憶するに限らず、複数の決済業務用の操作画面を示す各符号を予め設定し、初期の決済業務用の操作画面となった符号を記憶してもよい。
【００２０】
次に、戻り操作部４１は、ステップＳ５において、戻りボタン１３が操作されたか否かを判断する。この判断の結果、戻りボタン１３が操作されていなければ、決済処理部４０は、ステップＳ２に戻り、決済処理を行う。  
一方、戻りボタン１３が操作されると、戻り操作部４１は、ステップＳ６に移り、初期画面記憶部３３に記憶されている初期の操作画面、すなわち第１の操作画面Ｈ１、又は第１の操作画面Ｈ１を示す符号を読み出し、当該第１の操作画面Ｈ１を表示部３に表示する。例えば、第ｎの操作画面Ｈｎが表示されているときに戻りボタン１３が操作されると、戻り操作部４１は、当該第ｎの操作画面Ｈｎから第１の操作画面Ｈ１の表示に切り替える。又、第ｍの操作画面Ｈｍが表示されているときに戻りボタン１３が操作されると、戻り操作部４１は、当該第ｍの操作画面Ｈｍから第１の操作画面Ｈ１の表示に切り替える。
【００２１】
一方、初期の操作画面が第２の操作画面Ｈ２であれば、第ｎの操作画面Ｈｎが表示されているときに戻りボタン１３が操作されると、戻り操作部４１は、当該第ｎの操作画面Ｈｎから第２の操作画面Ｈ２の表示に切り替える。又、第ｍの操作画面Ｈｍが表示されているときに戻りボタン１３が操作されると、戻り操作部４１は、当該第ｍの操作画面Ｈｍから第２の操作画面Ｈ２の表示に切り替える。
【００２２】
次に、主制御部３０は、ステップＳ７において、決済処理が終了であるか否かを判断し、終了でなければ、ステップＳ２に戻って決済処理を続ける。
【００２３】
このように上記一実施の形態によれば、例えば図５に示すように決済処理部４０により変更した決済業務用の操作画面Ｈ１〜Ｈｍのうち初期の決済業務用の操作画面Ｈ１に戻すための戻りボタン１３と戻り操作部４１とを備えたので、何度も表示画面上をタッチ操作して決済用の操作画面を１つ１つ順次戻して初期の操作画面に戻すような多くの操作の手数を必要とせず、かつ操作の煩わしさもなく、ワンタッチで初期の操作画面に戻すことができる。又、戻りボタン１３を押し操作するだけなので、誤操作するおそれもない。  
操作者は、決済業務の操作に応じて表示される一連の操作画面、例えば図５に示すような一連の操作画面Ｈ１〜Ｈｎの表示となった操作の動線を変えることなく、スムーズに、決済業務の操作中の途中の如何なる操作画面からでも、操作開始の初期の操作画面に戻すことができる。
【００２４】
表示部３の表示画面の周囲、すなわちタッチパネル４の周囲でかつタッチパネル４の平面の高さ位置と同一高さ位置に戻りボタン１３を設けてあるので、当該決済端末装置１に対する操作に不慣れな操作者であっても、戻りボタン１３の操作を容易にかつ誤ることなく行うことができる。  
初期の決済業務用の操作画面は、その操作画面の内容が各種決済業務に応じて異なることがある。このような場合でも、各種決済業務に応じた初期の決済業務用の操作画面を初期画面記憶部３３に記憶することにより、戻りボタン１３が操作された時点で直ちに、各種決済業務に応じた初期の決済業務用の操作画面の表示に戻すことができる。
【００２５】
表示部３の表示画面のサイズすなわちタッチパネル４のサイズが小型であっても、このタッチパネル４のサイズに関係なく戻りボタン１３を操作して初期の決済業務用の操作画面の表示に戻すことができる。
【００２６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、戻りボタン１３は、当該装置１を正面側Ａから向かって枠組み体１１における操作者の存在する側の右側でなく、左側に設置してもよい。操作者の利き手に対応可能なように戻りボタン１３の設置位置を変えた当該装置１の構成にしてもよい。  
戻りボタン１３は、押し操作する構成や、又は切り替えスイッチの構成であってもよい。
【符号の説明】
【００２７】
１：決済端末装置、２：本体、３：表示部、４：タッチパネル、５：磁気カードリーダ、６：プリンタ、１０：キーボード及び操作ボタン、１１：枠組み体、１２：枠組み体の平面、１３：戻りボタン、２０：カード処理装置、２１：伝送ケーブル、２１：本体、２２：キーボード、２３：表示部、２４：カードリーダ、２５：カードスロット、２６：クレジットカード、３０：主制御部、３１：プログラム記憶部、３２：操作画面記録部、３３：初期画面記憶部、３４：通信部、４０：決済処理部、４１：戻り操作部。
【先行技術文献】
【特許文献】
【００２８】
【特許文献１】特開２００２−９２７４７号公報
【図１】
2010277255.tif 000003
【図２】
2010277255.tif 000004
【図３】
2010277255.tif 000005
【図４】
2010277255.tif 000006
【図５】
2010277255.tif 000007
【図６】
2010277255.tif 000008